(57)【要約】【課題】ＩＣカードを有効利用したポイントカードシステムを提供すること。【解決手段】本発明では、店舗がユーザに発行したポイントカードのポイントを管理するポイントカードシステムにおいて、クライアントコンピュータがポイントカードに記載されたユーザ固有の識別子を読込み、クライアントコンピュータがユーザのＩＣカードに格納されたユーザ固有の識別子を読込み、クライアントコンピュータからサーバーコンピュータにポイントカードに記載されたユーザ固有の識別子とユーザのＩＣカードに格納されたユーザ固有の識別子とを送信し、サーバーコンピュータがポイントカードに記載されたユーザ固有の識別子とユーザのＩＣカードに格納されたユーザ固有の識別子とを用いて会員データを作成し、サーバーコンピュータが会員データに基いて店舗がユーザに対して発行したポイントを管理することにした。【選択図】図１
2009140015.tif 000002
【特許請求の範囲】
【請求項１】
運営者のサーバーコンピュータと店舗のクライアントコンピュータとを電子通信回線網を介して接続し、店舗がユーザに発行したポイントカードのポイントを管理するポイントカードシステムにおいて、
クライアントコンピュータがポイントカードに記載されたユーザ固有の識別子を読込むポイントカード読込みステップと、
クライアントコンピュータがユーザのＩＣカードに格納されたユーザ固有の識別子を読込むＩＣカード読込みステップと、
クライアントコンピュータからサーバーコンピュータにポイントカードに記載されたユーザ固有の識別子とユーザのＩＣカードに格納されたユーザ固有の識別子とを送信する識別子送信ステップと、
サーバーコンピュータがポイントカードに記載されたユーザ固有の識別子とユーザのＩＣカードに格納されたユーザ固有の識別子とを用いて会員データを作成する会員データ作成ステップと、
を有し、
サーバーコンピュータが会員データに基いて店舗がユーザに対して発行したポイントを管理することを特徴とするポイントカードシステム。
【請求項２】
前記ポイントカードに記載されたユーザ固有の識別子は、サーバーコンピュータが受信可能なメールアドレスの形式となっていることを特徴とする請求項１に記載のポイントカードシステム。
【発明の詳細な説明】
【技術分野】
【０００１】
本発明は、運営者のサーバーコンピュータと店舗のクライアントコンピュータとを電子通信回線網を介して接続し、店舗がユーザに発行したポイントカードのポイントを管理するポイントカードシステムに関するものである。
【背景技術】
【０００２】
従来より、店舗の顧客吸引力を増大させるために、店舗ごとにポイントカードを発行してユーザに渡し、商品購入時や来店時にポイントを付与し、貯めたポイントに基いて各種のサービスを提供するポイントカードシステムが広く利用されている。
【０００３】
このポイントカードシステムとしては、紙媒体を用いた方法とともに、リライト式のポイントカードを利用した方法（たとえば、特許文献１参照。）が普及している。
【０００４】
一方、近年、電子マネーの普及により、電子マネー機能が付加された非接触型のＩＣカードが広く利用されてきている。特に、ＩＣカードを内蔵した携帯電話機は、その利便性により広く普及してきている。
【０００５】
【特許文献１】特開２００５−２０８７９４号公報
【発明の開示】
【発明が解決しようとする課題】
【０００６】
ところが、上記従来のポイントカードシステムにあっては、店舗ごとに使用できるポイントカードが異なるために、ユーザにとっては、複数のポイントカードを携帯しておく必要が生じ、携帯するポイントカードが嵩張るとともに、複数のポイントカードの中から使用する店舗に適応するポイントカードを探し出さなければならず、使い勝手が悪く、また、ポイントカードシステムを採用する店舗にとっては、紙媒体のポイントカードでは手間が掛かり、リライト式のポイントカードでは初期の導入費用が高くなり、ポイントカードシステムを容易に採用することが困難であった。
【０００７】
一方、電子マネー機能が付加されたＩＣカードにあっては、電子マネーとしての利用ができユーザが携帯している可能性が高いにもかかわらず、ポイントカードで貯めたポイントの利用ができずにポイントカードを別個に携帯しておかなければならず、その有効利用が図られていなかった。
【０００８】
そこで、本発明者は、上記従来のポイントカードシステムの問題点を解消するとともに、ユーザが携帯するＩＣカードの更なる有効利用を図るために、ポイントカードとＩＣカードとの一元的な管理を行うことで、ＩＣカードによるポイントの利用を可能とすることにした。
【課題を解決するための手段】
【０００９】
すなわち、請求項１に係る本発明では、運営者のサーバーコンピュータと店舗のクライアントコンピュータとを電子通信回線網を介して接続し、店舗がユーザに発行したポイントカードのポイントを管理するポイントカードシステムにおいて、クライアントコンピュータがポイントカードに記載されたユーザ固有の識別子を読込むポイントカード読込みステップと、クライアントコンピュータがユーザのＩＣカードに格納されたユーザ固有の識別子を読込むＩＣカード読込みステップと、クライアントコンピュータからサーバーコンピュータにポイントカードに記載されたユーザ固有の識別子とユーザのＩＣカードに格納されたユーザ固有の識別子とを送信する識別子送信ステップと、サーバーコンピュータがポイントカードに記載されたユーザ固有の識別子とユーザのＩＣカードに格納されたユーザ固有の識別子とを用いて会員データを作成する会員データ作成ステップとを有し、サーバーコンピュータが会員データに基いて店舗がユーザに対して発行したポイントを管理することにした。
【００１０】
また、請求項２に係る本発明では、前記請求項１に係る本発明において、前記ポイントカードに記載されたユーザ固有の識別子は、サーバーコンピュータが受信可能なメールアドレスの形式となっていることにした。
【発明の効果】
【００１１】
そして、本発明では、以下に記載する効果を奏する。
【００１２】
すなわち、本発明では、サーバーコンピュータがポイントカードに記載されたユーザ固有の識別子とユーザのＩＣカードに格納されたユーザ固有の識別子とから会員データを作成し、この会員データに基いて店舗がユーザに対して発行したポイントを管理することにしているために、ポイントカードとＩＣカードとの一元的な管理を行うことができ、ユーザが携帯するＩＣカードだけで店舗においてポイントの加算や利用などの特典を受けることができる。
【００１３】
特に、ポイントカードに記載されたユーザ固有の識別子をサーバーコンピュータが受信可能なメールアドレスの形式とすることで、識別子を用いてユーザからサーバーコンピュータに容易にメールの送信を行うことができるとともに、サーバーコンピュータでいずれのユーザからメールが送信されたかを容易に判別することができる。
【発明を実施するための最良の形態】
【００１４】
以下に、本発明に係るポイントカードシステムの具体的な内容について図面を参照しながら説明する。
【００１５】
図１は、本発明に係るポイントカードシステムのハードウエア構成を模式的に示した図であり、本発明に係るポイントカードシステムでは、ポイントカードシステムを運営する運営者のサーバーコンピュータ１と店舗に設置したクライアントコンピュータ2,3とをインターネットなどの電子通信回線網４を介して接続するとともに、各クライアントコンピュータ2,3に読取装置5,6を接続している。
【００１６】
この読取装置5,6は、店舗がユーザに対して発行したポイントカード7,8に記載したユーザ固有の識別子やユーザが所有する電子マネー機能を有する非接触型のＩＣカード（ここでは、ＩＣカード機能を内蔵した携帯電話機9,10）に格納されたユーザ固有の識別子を読取るための装置である。
【００１７】
また、本発明に係るポイントカードシステムでは、電子通信回線網４を介してサーバーコンピュータ１とユーザの携帯電話機9,10とを接続している。
【００１８】
本ポイントカードシステムでは、まず、店舗がユーザに対してポイントカード7,8を発行する。このポイントカード7,8には、ポイントカード7,8ごとに異なる識別子が記載されている。この識別子は、ポイントカード7,8ごとに異なるものが記載されるため、そのポイントカード7,8が発行されたユーザに固有の識別子となっている。
【００１９】
ここでは、ポイントカード7,8に記載したユーザ固有の識別子として、「Ｕ０００１−００００１＠ｕｒｌ．ｃｏｍ」のようにメールアドレスの形式にしており、店舗を特定する番号（Ｕ０００１）と発行ごとに異ならせた連続番号（００００１）とをハイフンを介して並べてメールアドレスのローカル部を構成するとともに、サーバーコンピュータ１のドメイン名（ｕｒｌ．ｃｏｍ）でメールアドレスのドメイン部を構成して、サーバーコンピュータ１が受信できるメールアドレスの形式としている。また、本ポイントカードシステムでは、ポイントカード7,8に上記ユーザ固有の識別子を携帯電話機9,10で直接読取ることができるマトリックス型二次元コードで記載している。
【００２０】
そして、本ポイントカードシステムでは、以下に説明するようにして、ユーザのポイントカード7,8とＩＣカード（携帯電話機9,10）とを一元的に管理することで、ＩＣカード（携帯電話機9,10)によるポイントの利用を可能とすることにした（図２参照。）。
【００２１】
すなわち、本ポイントカードシステムでは、まず、クライアントコンピュータ2,3が読取装置5,6を用いてユーザのポイントカード7,8に記載されたマトリックス型二次元コードを読取ることで、ユーザのポイントカード7,8に記載されたユーザ固有の識別子をデータとして読込む（ポイントカード読込みステップ）。
【００２２】
次に、本ポイントカードシステムでは、クライアントコンピュータ2,3が読取装置5,6を用いてユーザの携帯電話機9,10に内蔵されたＩＣカードと通信することで、ＩＣカードに格納されたユーザ固有の識別子をデータとして読込む（ＩＣカード読込みステップ）。
【００２３】
次に、本ポイントカードシステムでは、クライアントコンピュータ2,3が上記ポイントカード読込みステップ及びＩＣカード読込みステップで読込んだデータ、すなわち、ユーザのポイントカード7,8に記載されたユーザ固有の識別子のデータとユーザのＩＣカードに格納された識別子のデータを電子通信回線網４を介してサーバーコンピュータ１に送信し（識別子送信ステップ）、サーバーコンピュータ１がこれらのデータを受信する。
【００２４】
そして、本ポイントカードシステムでは、サーバーコンピュータ１がクライアントコンピュータ2,3から受信したユーザのポイントカード7,8に記載されたユーザ固有の識別子のデータとユーザのＩＣカードに格納された識別子のデータとを用いて会員データを作成する（会員データ作成ステップ）とともに、複数の会員データから構成される会員データベースを構築する。
【００２５】
これにより、本ポイントカードシステムでは、サーバーコンピュータ１が作成した会員データによって、ユーザのポイントカード7,8に記載されたユーザ固有の識別子とユーザのＩＣカードに格納された識別子とを１対１に対応させることができる。
【００２６】
そのため、本ポイントカードシステムでは、サーバーコンピュータ１が会員データ作成ステップによって会員データを作成した後は、ユーザのＩＣカードに格納されたユーザ固有の識別子によってユーザを特定し、その特定したユーザに対して付与したポイントをそのユーザのポイントカード7,8のポイントとして管理することができる。すなわち、ユーザ側から見れば、ポイントカード7,8を使用することなく、ＩＣカードやＩＣカード機能を内蔵する携帯電話機9,10を使用してポイントの加算や利用などのポイントを用いた特典を受けることができる。
【００２７】
たとえば、ポイントの加算を受ける場合には、ユーザが店舗でクライアントコンピュータ2,3の読取装置5,6に携帯電話機9,10をかざすだけでよく、これにより、図２に示すように、クライアントコンピュータ2,3が携帯電話機9,10に内蔵されたＩＣカードに格納されたユーザ固有の識別子を読込み、クライアントコンピュータ2,3が商品の購入金額に応じたポイントや来店時のポイントなどを発行し、ユーザ固有の識別子のデータとともにポイントのデータを電子通信回線網４を介してサーバーコンピュータ１に送信し、データを受信したサーバーコンピュータ１がＩＣカードに格納されたユーザ固有の識別子で特定される会員データのポイントを更新する。
【００２８】
このように、本ポイントカードシステムでは、サーバーコンピュータ１がポイントカード7,8に記載されたユーザ固有の識別子とユーザのＩＣカード（携帯電話機9,10）に格納されたユーザ固有の識別子とから会員データを作成し、この会員データに基いて店舗がユーザに対して発行したポイントを管理することにしているために、ポイントカード7,8とＩＣカード（携帯電話機9,10）との一元的な管理を行うことができ、ユーザが携帯するＩＣカード（携帯電話機9,10）だけで店舗においてポイントの加算や利用などの特典を受けることができる。
【００２９】
これにより、本ポイントカードシステムでは、従来のポイントカードシステムにおける問題点を解消するとともに、ＩＣカード（携帯電話機9,10）のさらなる有効利用を図ることができる。
【００３０】
特に、本ポイントカードシステムでは、ポイントカード7,8に記載されたユーザ固有の識別子をサーバーコンピュータ１が受信可能なメールアドレスの形式としているために、識別子を用いてユーザからサーバーコンピュータ１に容易にメールの送信を行うことができるとともに、サーバーコンピュータ１でいずれのユーザからメールが送信されたかを容易に判別することができる。
【００３１】
たとえば、図２に示すように、ユーザが携帯電話機9,10を用いてポイントカード7,8にマトリックス型二次元コードで記載されたユーザ固有の識別子をデータとして読取り、そのデータをメールの送信先に設定してメールを送信することで、携帯電話機9,10からサーバーコンピュータ１にメールを送信することができる。
【００３２】
そして、携帯電話機9,10からメールを受信したサーバーコンピュータ１は、メールの受信によりそのメールの送信先のアドレスからユーザ固有の識別子を判別することができるとともに、メールの送信元のアドレスからユーザのメールアドレスを判別することができる。これにより、サーバーコンピュータ１は、受信したメールから判別したユーザ固有の識別子で特定されるユーザの会員データに受信したメールから判別したユーザのメールアドレスを付加することで、ユーザのポイントカード7,8に記載されたユーザ固有の識別子とユーザのメールアドレスとを１対１に対応させることができる。
【００３３】
さらに、ユーザからメールを受信したサーバーコンピュータ１がユーザのメールアドレスに会員登録サイトのＵＲＬを記載したメールを送信し、そのメールに基いてユーザが携帯電話機9,10からサーバーコンピュータ１の会員登録サイトにアクセスして、ユーザのニックネームの登録やユーザの性別や嗜好などの登録を行うこともでき、これにより、ユーザの性別や嗜好によって絞り込んだサービスの提供を行うようにすることもできるようになる。
【００３４】
以上に説明したように、本発明に係るポイントカードシステムは、ユーザのポイントカード7,8に記載されたユーザ固有の識別子とユーザのＩＣカードに格納された識別子とを１対１に対応させてポイントの管理を行うものであり、ユーザがＩＣカードやＩＣカード機能を内蔵する携帯電話機9,10だけを使用してポイントの加算や利用などのポイントを用いた特典を受けることができるようにするものである。なお、以上の説明で示したハードウエアの構成や処理フローは、本発明に係るポイントカードシステムの一具体例であり、本発明の趣旨を逸脱しない範囲内でハードウエアの構成や処理フローを変更することもできる。
【図面の簡単な説明】
【００３５】
【図１】ポイントカードシステムのハードウエア構成を示す説明図。
【図２】ポイントカードシステムの処理フローを示す説明図。
【符号の説明】
【００３６】
１  サーバーコンピュータ
2,3  クライアントコンピュータ
４  電子通信回線網
5,6  読取装置
7,8  ポイントカード
9,10  携帯電話機
【図１】
2009140015.tif 000003
【図２】
2009140015.tif 000004